(57)【特許請求の範囲】
【請求項１】
来訪者が居住者を呼び出すための玄関子機と、前記玄関子機からの呼び出しに応答するための居室親機とを有し、前記居室親機が送話・受話自動切換回路を備えてハンズフリー通話が可能なインターホン装置において、
前記居室親機は、通話状態において予め録音又は記憶された音声メッセージを前記玄関子機に送出可能であって、前記音声メッセージを送出する際に居室親機のマイクアンプをミュートまたは非能動とすると共に、前記送話・受話自動切換回路を前記玄関子機で報音する送話側に強制的に切り換え、前記音声メッセージが送出された後は前記居室親機のマイクアンプ及び前記送話・受話自動切換回路を通常状態に戻す制御を行うことを特徴とするインターホン装置。
【請求項２】
前記居室親機は、前記音声メッセージを前記玄関子機に送出した際に居室親機スピーカからも音声メッセージを報音させる制御を行うことを特徴とする請求項１記載のインターホン装置。
【請求項３】
前記居室親機は、使用者が前記音声メッセージを録音作成する音声メッセージ作成手段を備えたことを特徴とする請求項１又は２記載のインターホン装置。
【請求項４】
玄関子機に来訪者を撮像するためのカメラを設けると共に、居室親機に前記カメラの撮像映像を出画する為のモニタを備え、来訪者映像を前記モニタに出画した状態で確認しながら音声メッセージを送出できることを特徴とする請求項１乃至３の何れかに記載のインターホン装置。
【発明の詳細な説明】
【技術分野】
【０００１】
本発明は、玄関と室内の間で通話を可能とするインターホン装置に関し、特に来訪者と話すことなく居住者の意思を伝える機能を備えたインターホン装置に関する。
【背景技術】
【０００２】
来訪者と話すことなく居住者の意思を伝える機能を備えたインターホン装置として従来特許文献１に示す構成のものがある。これは、居室親機に予め複数の音声メッセージ、例えば「どなたですか」、「しばらくお待ちください」等のメッセージを記憶させておき、玄関子機から呼び出しが成されたら、居室親機のモニタに来訪者映像と合わせてメッセージ選択ボタンを表示させて、居住者がそのモニタに映し出された来訪者を見ながら必要に応じてメッセージを選択して送信して玄関子機から報音することで、来訪者と通話すること無く来訪者の目的を聞き出したり、お引き取りを願ったりできるようになっている。
【特許文献１】特開２０００−１２５０１９号公報
【発明の開示】
【発明が解決しようとする課題】
【０００３】
しかし、上記特許文献１の構成は、記憶してある音声メッセージを玄関子機から送出している間でも、居室親機のマイクが能動状態であるため、居住者同士の会話や室内の音が玄関子機に漏れることがあった。特に、居室親機がハンズフリー対応の場合は、居室親機のマイクは比較的遠くの音も拾い上げる構成となっているため、室内の音が玄関子機に漏れやすく、居住者は音声メッセージ送信中に相談等を行う場合は気を遣わなければならなかった。
【０００４】
そこで、本発明はこのような問題点に鑑み、玄関子機に音声メッセージを送信している間は、居室内の音声等が玄関子機に漏れることのないインターホン装置を提供することを目的とする。
【課題を解決するための手段】
【０００５】
上記課題を解決する為に、請求項１に記載の発明は、来訪者が居住者を呼び出すための玄関子機と、玄関子機からの呼び出しに応答するための居室親機とを有し、居室親機が送話・受話自動切換回路を備えてハンズフリー通話が可能なインターホン装置において、居室親機は、通話状態において予め録音又は記憶された音声メッセージを玄関子機に送出可能であって、音声メッセージを送出する際に居室親機のマイクアンプをミュートまたは非能動とすると共に、送話・受話自動切換回路を玄関子機で報音する送話側に強制的に切り換え、音声メッセージが送出された後は居室親機のマイクアンプ及び送話・受話自動切換回路を通常状態に戻す制御を行うことを特徴とする。
この構成により、メッセージ送信中は居住者の音声等が玄関子機に漏れないので、居住者はその間来訪者に聞かれたくない話をすることができるし、来訪者は音声メッセージを聞き取り易い。
また、ハンズフリー通話を実施しても、送話・受話自動切換回路を送話に固定するので、音声メッセージ報音中は来訪者の音声や玄関子機側で大きな音が発生しても受話に切り換わることがなく、玄関子機からメッセージを良好に報音することができる。
【０００６】
請求項２の発明は、請求項１に記載の発明において、居室親機は、音声メッセージを玄関子機に送出した際に居室親機スピーカからも音声メッセージを報音させる制御を行うことを特徴とする。
この構成により、居住者はメッセージの内容を確認できるし、メッセージ送信が成されていることを認識できる。
【０００８】
請求項３の発明は、請求項１又は２に記載の発明において、居室親機は、使用者が音声メッセージを録音作成する音声メッセージ作成手段を備えたことを特徴とする。
この構成により、居住者が使用したい音声メッセージを自ら作成でき、音声メッセージの活用を図ることができる。
【０００９】
請求項４の発明は、請求項１乃至３の何れかに記載の発明において、玄関子機に来訪者を撮像するためのカメラを設けると共に、居室親機にカメラの撮像映像を出画する為のモニタを備え、来訪者映像をモニタで出画した状態で確認しながら音声メッセージを送出できることを特徴とする。
この構成により、居住者は来訪者を見ながらメッセージ送信ができるので、メッセージを効果的に使用することが可能となる。
【発明の効果】
【００１０】
本発明によれば、メッセージ送信中は居住者の音声等が玄関子機に漏れないので、居住者はその間来訪者に聞かれたくない話をすることができるし、来訪者は音声メッセージを聞き取り易い。
【発明を実施するための最良の形態】
【００１１】
以下、本発明を具体化した実施の形態を、図面に基づいて詳細に説明する。図１は本発明に係るインターホン装置の実施形態の一例を示すブロック図であり、１は玄関に設置さて来訪者が居住者を呼び出すための玄関子機、１１は玄関子機からの呼び出しに応答するための居室親機である。玄関子機１は、呼出ボタン２、起動電圧検出回路３、スピーカ（以下、子機スピーカとする）４、スピーカアンプ５、マイク（以下、子機マイクとする）６、マイプアンプ７、２線４線変換回路８を備えている。
【００１２】
居室親機１１は、２線４線変換回路１２、送話・受話自動切換回路１３、マイクアンプ１４、マイク（以下、親機マイクとする）１５、スピーカアンプ１６、スピーカ（以下、親機スピーカとする）１７、玄関子機起動電源送出回路１８、呼出検出回路１９、通話ボタン２０、インターホン装置を制御するＣＰＵ２１、音声送出アンプ２２、音声を復調する音声コーデック２３、各種設定及び音声メッセージを記憶するデータメモリ２４、メッセージ選択ボタン２５、メッセージ送出ボタン２６、音声メッセージ作成手段としてのメッセージ録音ボタン２７、電源回路２８を備え、ハンズフリー通話が可能となっている。また、玄関子機１と居室親機１１は２線式のケーブル３０で接続されている。尚、データメモリ２４に記憶される音声メッセージは、例えば「どちら様ですか」「どの様なご用件ですか」「間に合っています。失礼します。」である。
【００１３】
このように構成されたインターホン装置は、玄関子機１から呼び出しが成されると次のように動作する。来訪者が玄関子機１の呼出ボタン２を押すと、呼出信号がケーブル３０を経由して居室親機１１の呼出検出回路１９で検出され、ＣＰＵ２１に玄関子機１から呼び出しが成されたことを通知する。ＣＰＵ２１は、呼び出しを受けたら玄関子機起動電源送出回路１８を駆動して玄関子機１を起動させる電圧をケーブル３０を通して送出する。
居室親機１１から玄関子機起動用の電圧が送出されると、玄関子機１の起動電圧検出回路３がそれを検出し、スピーカアンプ５、マイクアンプ７へ電源が供給される。これにより子機スピーカ４、子機マイク６を使用して通話が可能な状態となる。
【００１４】
またＣＰＵ２１は、親機スピーカ１７から呼出音を鳴動させて来訪者があったことを居室内に知らせると共に、送話・受話自動切換回路１３、２線４線変換回路１２、ケーブル３０を経由して、玄関子機１の２線４線変換回路８、スピーカアンプ５を通し子機スピーカ４からも呼出音を鳴動させて、呼び出しが行われたことを来訪者に対して知らせる。更にＣＰＵ２１は、玄関子機１からの呼び出し後、一定時間居室親機１１のスピーカアンプ１６を駆動状態にしておき玄関子機１からの音を居室親機１１で確認できるようにしておき、通話ボタン２０が操作されたら通話状態へ移行する。
【００１５】
そして、この通話状態において、データメモ２４に保存された音声メッセージを玄関子機１に送出することを可能としている。居住者が音声メッセージを送信したいと判断したら、保存されている音声メッセージの中から居住者が適切と判断した音声メッセージをメッセージ選択ボタン２５により選択してメッセージ送出ボタン２６を押す。この操作により、ＣＰＵ２１は音声コーデック２３、音声送出アンプ２２を経由して親機スピーカ１７から選択された音声メッセージを出力すると共に、音声送出アンプ２２、送話・受話自動切換回路１３、２線４線変換回路１２、ケーブル３０を介して玄関子機１に伝送する。玄関子機１では、２線４線変換回路８、スピーカアンプ５を経由して子機スピーカ４から送出され、来訪者に選択した音声メッセージが伝えられる。
【００１６】
またＣＰＵ２１は、メッセージ送出ボタン２６が押されたら、送話・受話自動切換回路１３を強制的に玄関子機１に対して送話側に切り替える制御を実施して確実にメッセージが来訪者に伝わるように制御すると共に、居室親機１１のマイクアンプ１４をミュートして居住者の音声が流れないように制御する。
【００１７】
一方、データメモリ２４内には、予め用意された音声メッセージ以外に居住者が音声メッセージを書き込み消去できる領域があり、オリジナルの音声メッセージを保存できるよう構成されている。ＣＰＵ２１は、メッセージ録音ボタン２７が押下されると、マイクアンプ１４、音声コーデック２３、データメモリ２４を一定時間駆動させ、居住者はその間に親機マイク１５を使用してメッセージを入力でき、マイクアンプ１４、音声コーデック２３を経由してデータメモリ２４に保存される。
【００１８】
このように、居住者が話すことなくボタン操作で来訪者へ意思を伝えることが出来る。そして、メッセージ送信中はミュートが掛かるので居住者の音声等が玄関子機に漏れず、居住者はその間来訪者に聞かれたくない話をすることができるし、来訪者は音声メッセージを聞き取り易い。
また、親機スピーカからも音声メッセージを報音するので、居住者はメッセージ送信が成されていることを確認できる。
更に、ハンズフリー通話を実施しても、音声メッセージ報音中は来訪者の音声や玄関子機側で大きな音が発生しても送話・受話自動切換回路が自動で切り換わることがなく、玄関子機からメッセージを良好に報音することができる。
また、音声メッセージ作成機能を有するので、居住者が使用したい音声メッセージを自ら作成でき、音声メッセージの活用を図ることができる。
【００１９】
図２のブロック図は本発明の他の形態を示している。上記実施形態とはカメラを備えて来訪者映像を居室親機に備えたモニタに出画できる点、及びモニタには各種設定を可能とするタッチパネルが一体に設けられている点が異なっている。図２において、３３は来訪者を撮像する為のカメラ、３４はＦＭ変調する変調回路、３５はＦＭ復調する復調回路、３６はモニタ、３７はタッチパネルであり、上記図１に示すメッセージ選択ボタン２５、メッセージ送出ボタン２６、メッセージ録音ボタン２７等はこのタッチパネル３７に設けられている。尚、上記図１と同様の構成要素には同一の符号を付与して説明を省略する。
【００２０】
このように構成されたインターホン装置は、図３のモニタ表示説明図に示すように、モニタ３６に出画した来訪者映像に隣接させてメッセージ選択ボタン２５が表示される。メッセージ選択ボタン２５は、「メッセージ１」、「メッセージ２」と複数のボタンで表示され、図３はメッセージ１が選択されて「メッセージ１」の領域の色が変化した状態を示している。この操作で、同様に来訪者映像に隣接して表示されているメッセージ送出ボタン２６が「メッセージ１を玄関へ出します」と表示される。この「メッセージ１を玄関へ出します」の部位をタッチ操作することでメッセージは送出される。
【００２１】
尚、メッセージ送出中は上記実施形態と同様にミュートが動作して居室親機１１の音が玄関子機１に漏れることがないし、送話・受話自動切換回路１３を強制的に玄関子機１に対して送話側に切り替えがなされる。また、メッセージ送出操作が成されてメッセージが玄関子機１に送出されたら居室親機１１にもメッセージが流れるのは上記実施形態と同様である。メッセージの作成手順は所定の操作でタッチパネル３７にメッセージ録音ボタン２７を表示させた後は、上記実施形態と同様である。また、図３ではメッセージ選択ボタン２５が２つしか表示されていないが、更に多く表示させて選択の幅を広げることも容易に実施できる。
【００２２】
このように、モニタに来訪者映像を出画させた状態で、モニタを確認しながら隣接して設けた操作ボタンを操作して音声メッセージを送出できるため、居住者は来訪者を見ながらメッセージ送信ができ、メッセージを効果的に使用することができる。
【００２３】
尚、上記実施形態は、何れも居室親機１１をミュートして居住者の音声が玄関子機１に漏れないようにしているが、単に親機マイク１５をオフ操作しても良い。また、居室親機１１は何れもハンズフリー形態となっているが、ハンドセットを使用する構成の場合は、送話・受話自動切換回路は無いので、送話・受話自動切換回路の制御は必要ない。
【図面の簡単な説明】
【００２４】
【図１】本発明に係るインターホン装置の実施形態の一例を示すブロック図である。
【図２】本発明の他の例を示すインターホン装置のブロック図である。
【図３】図２のインターホン装置のモニタ表示を示す説明図である。
【符号の説明】
【００２５】
１・・玄関子機、４・・スピーカ、６・・マイク、１１・・居室親機、１３・・送話・受話自動切換回路、１４・・マイクアンプ、１５・・マイク、１７・・スピーカ、２０・・通話ボタン、２１・・ＣＰＵ、２４・・データメモリ、２５・・メッセージ選択ボタン、２６・・メッセージ送出ボタン、２７・・メッセージ録音ボタン、３３・・カメラ、３６・・モニタ、３７・・タッチパネル。
【図１】
0004682003.tif 000002
【図２】
0004682003.tif 000003
【図３】
0004682003.tif 000004